(57)【要約】【課題】文章が読み易く、かつ、入力も容易な通信機器の表示システムを提供可能にする。【解決手段】情報を表示する表示部２を備えた表示ユニット部３と、ひとつまたは複数の操作ボタン４Ａを備えた第一の操作部と、前記第一の操作部とは異なる位置に設けられた、ひとつまたは複数の操作ボタン４Ｂを備えた第二の操作部を備えた携帯無線端末装置において、前記表示ユニット部は、携帯無線端末装置の本体に対して前記表示部が縦長となる縦長位置から前記表示部が横長となる横長位置に回転可能であり、前記第二の操作部は、前記表示ユニット部が横長位置になった場合に操作可能となることを特徴とする。【選択図】図２
2008199648.tif 000002
【特許請求の範囲】
【請求項１】
情報を表示する表示部を備えた表示ユニット部と、
ひとつまたは複数の操作ボタンを備えた第一の操作部と、
前記第一の操作部とは異なる位置に設けられた、ひとつまたは複数の操作ボタンを備えた第二の操作部を備えた携帯無線端末装置において、
前記表示ユニット部は、携帯無線端末装置の本体に対して前記表示部が縦長となる縦長位置から前記表示部が横長となる横長位置に回転可能であり、
前記第二の操作部は、前記表示ユニット部が横長位置になった場合に操作可能となることを特徴とする携帯無線端末装置。
【請求項２】
前記表示ユニット部は、前記本体に対して横長位置になったときに、少なくとも一部が前記本体より横方向に関して外側に位置し、かつ、
前記本体は、少なくとも一部に、前記表示ユニット部が縦長位置のときは前記表示ユニットの下に隠れ、横長位置のときは下から現れる開放面を備えることを特徴とする請求項１記載の携帯無線端末装置。
【請求項３】
前記第二の操作部は、前記開放面に位置することを特徴とする請求項２記載の携帯無線端末装置。
【請求項４】
前記第二の操作部は、前記表示ユニット部が縦長位置から横長位置に回転することにより実現された機能に対応した操作ボタンを備えることを特徴とする請求項１乃至３記載のいずれか一に記載の携帯無線端末装置。
【請求項５】
前記表示ユニット部の縦長位置および横長位置に対応して前記表示部の表示を切換える表示切換部を備えることを特徴とする請求項１乃至４のいずれか一に記載の携帯無線端末装置。
【請求項６】
前記表示ユニット部は、前記表示ユニット部全体が回転することを特徴とする請求項１乃至５のいずれか一に記載の携帯無線端末装置。
【請求項７】
前記表示ユニット部は、前記表示部の略中央を中心に回転することを特徴とする請求項1乃至６のいずれか一に記載の携帯無線端末装置。
【請求項８】
前記表示ユニット部が縦長位置または横長位置のときにロック設定する回転ロック機構を備えたことを特徴とする請求項１乃至７のいずれか一に記載の携帯無線端末装置。
【請求項９】
前記本体が、前記表示ユニット部、前記開放面、および、前記第二の操作部を備える第一の本体部と、
前記第一の操作部を備える第二の本体部とで構成され、
前記第一の本体部と第二の本体部が折り畳み自在に結合していることを特徴とする請求項２乃至８のいずれか一に記載の携帯無線端末装置。
【請求項１０】
前記第一の本体部及び前記第二の本体部はそれぞれ端部にて折り畳み自在に結合していることを特徴とする請求項９記載の携帯無線端末装置。
【請求項１１】
前記本体が、前記表示ユニット部、前記開放面、前記第二の操作部、および、前記第一の操作部を備えた棒型であることを特徴とする請求項１乃至８のいずれか一に記載の携帯無線端末装置。
【発明の詳細な説明】
【技術分野】
【０００１】
本発明は携帯電話機、簡易型携帯電話機（ＰＨＳ：Ｐｅｒｓｏｎａｌ  Ｈａｎｄｙ  Ｐｈｏｎｅ  Ｓｙｓｔｅｍ）等の携帯無線端末装置に関する。特に、本発明は、文章を見易くし、入力も容易にする携帯無線端末装置に関する。
【背景技術】
【０００２】
近年はデータ通信が盛んになり、携帯電話機等にパーソナルコンピュータ、他の情報端末を接続して使用されることが一般的になっている。
【０００３】
携帯電話機等の通信機器は小型化、軽量化が進む中で、それに逆行して液晶表示の大画面化が進んでいる。
基本的に、通話機能が主体である携帯電話機等の通信機器に電子メール、オンラインサービスなどの機能を備えた機器が商品化されており、さらに、液晶表示の大画面化が望まれている。
【０００４】
図１３は従来の折り畳み型携帯電話機の斜視図であり、図１４は従来の棒型携帯電話機の斜視図である。なお、全図を通して同一の構成要素には同一の符号、番号を付して説明を行う。
【０００５】
図１３に示す折り畳み型携帯電話機、図１４に示す棒型携帯電話機のような通信機器の本体１のそれぞれに液晶表示部２が内蔵され本体１と一体になっている。前述のように、通信機器の本体１では、通話機能が主体であり、携帯性から小型、軽量化が商品性の面で重要であり、また、使い勝手の面では横幅を抑えた縦長となっている。
【０００６】
【特許文献１】実開昭６１―０１５８４５号公報
【発明の開示】
【発明が解決しようとする課題】
【０００７】
しかしながら、上記通信機器の液晶表示部２の大画面化を図るとなると、縦方向には長くできても横方向には幅広にすることが困難である。
【０００８】
このため、液晶表示部２が縦長の場合には横一行の表示文字数が少なく文章が読み難く、操作ボタン４Ａの入力も容易ではないという問題が生じる。
【０００９】
この問題を解決するために、情報量の多い文章は、液晶表示部２を横長にして見たいという要求に対し、表示方向のみ切り替える方法もあるが、入力する場合に操作ボタン４Ａの表示が見にくく、操作性が悪いという別の問題が生じる。
【００１０】
したがって、本発明は上記問題点に鑑みて、文章が読み易く且つ入力も容易な携帯無線端末装置を提供することを目的とする。
【課題を解決するための手段】
【００１１】
本発明は前記問題点を解決するために、情報を表示する表示部を備えた表示ユニット部と、ひとつまたは複数の操作ボタンを備えた第一の操作部と、前記第一の操作部とは異なる位置に設けられた、ひとつまたは複数の操作ボタンを備えた第二の操作部を備えた携帯無線端末装置において、前記表示ユニット部は、携帯無線端末装置の本体に対して前記表示部が縦長となる縦長位置から前記表示部が横長となる横長位置に回転可能であり、前記第二の操作部は、前記表示ユニット部が横長位置になった場合に操作可能となることを特徴とする携帯無線端末装置を提供する。
【００１２】
さらに、前記表示ユニット部は、前記本体に対して横長位置になったときに、少なくとも一部が前記本体より横方向に関して外側に位置し、かつ、前記本体は、少なくとも一部に、前記表示ユニット部が縦長位置のときは前記表示ユニットの下に隠れ、横長位置のときは下から現れる開放面を備える。
【００１３】
さらに、前記第二の操作部は、前記開放面に位置する。
さらに、前記第二の操作部は、前記表示ユニット部が縦長位置から横長位置に回転することにより実現された機能に対応した操作ボタンを備える。
【００１４】
さらに、前記表示ユニット部の縦長位置および横長位置に対応して前記表示部の表示を切換える表示切換部を備える。
さらに、前記表示ユニット部は、前記表示ユニット部全体が回転する。
さらに、前記表示ユニット部は、前記表示部の略中央を中心に回転する。
【００１５】
さらに、前記表示ユニット部が縦長位置または横長位置のときにロック設定する回転ロック機構を備える。
さらに、前記本体が、前記表示ユニット部、前記開放面、および、前記第二の操作部を備える第一の本体部と、前記第一の操作部を備える第二の本体部とで構成され、前記第一の本体部と第二の本体部が折り畳み自在に結合している。
【００１６】
さらに、前記第一の本体部及び前記第二の本体部はそれぞれ端部にて折り畳み自在に結合している。
さらに、前記本体が、前記表示ユニット部、前記開放面、前記第二の操作部、および、前記第一の操作部を備えた棒型である。
【発明の効果】
【００１７】
本発明によれば、縦方向に長い液晶表示部を回転可能で、且つ液晶表示方向も切替え可能にしたので、文字数の多い文章を横長で見ることが可能で、文章が読み易くなり、表示ユニットが縦長から横長になった場合に操作ボタンが見え、操作可能となり、操作性向上を図ることが可能になる。
【発明を実施するための最良の形態】
【００１８】
以下、本発明に係わる無線通信機の一実施の形態について、図面を参照して説明する。
【００１９】
図１は本発明に係る折り畳み型携帯電話機に関する通信機器の表示システムの斜視図である。
【００２０】
本図に示すように、折り畳み型携帯電話機の本体１には表示ユニット部３が設けられ、表示ユニット部３は、本体１のユニットであり、本体１と分離し、回転可能な構造で結合している。
【００２１】
表示ユニット部３には縦方向に長い大画面の液晶表示部２が設けられ、液晶表示部２は本体１と電気的に接続される。
【００２２】
液晶表示部２では、電話として通話を行う通常使用状態が示され、通常使用状態には、一般的には日付時刻表示、ダイヤル操作、機能設定時に使用する状態がある。
【００２３】
図２は図１の表示ユニット部３を回転させた状態を示す図である。本図に示すように、表示ユニット部３は９０度回転して、液晶表示部２を縦長から横長に回転し、回転した液晶表示部２を、横長から縦長に戻すように、回転する。
【００２４】
表示ユニット部３の回転軸は、表示ユニット部３のほぼ中央に位置する。さらに、表示ユニット部３には一方向９０度の回転で固定する回転ロック機構５が設けられる。
【００２５】
図３は表示ユニット部３の回転軸の回転を説明する図である。本図（ａ）に示すように、表示ユニット部３の回転軸６は円筒に形成され、周囲に出張部７が設けられている。出張部７には部回転検出用スイッチ３Ａが設けられ、回転検出用スイッチ３Ａは出張部７を貫通する。
【００２６】
本図（ｂ）に示すように、折り畳み型携帯電話機の本体１には回転穴８が設けられ、回転穴８は、表示ユニット３の回転軸６が収容できる径に形成され、表示ユニット部３の出張部７が９０度回転するスペース１０を有する。なお、スペース１０の両側には壁８Ａ、８Ｂが形成される。
【００２７】
本図（ｃ）に示すように、本体１の回転穴８に表示ユニット部３の回転軸６が収容され、回転軸６の出張部７は縦長位置から横長位置まで、９０度の回転移動を行う。
【００２８】
図４は図３の回転検出用スイッチ３Ａを示す図である。本図に示すように、回転検出用スイッチ３Ａが貫通する出張部７の内部には、端子１１、１２、１３が設けられ、端子１１、１３には、電源電圧Ｖｃｃ、−Ｖｃｃが接続される。
【００２９】
端子１２は、抵抗１４を介して、ＧＮＤ（接地）に接続される。
【００３０】
壁８Ａ、８Ｂには回転検出用スイッチ３Ａの高さ位置に対応して突起９Ａ、９Ｂが設けられる。
【００３１】
突起９Ａ、９Ｂは、表示ユニット部３の回転軸の回転に伴って、回転検出用スイッチ３Ａを押す。  本図（ａ）に示すように、壁８Ａの突起９Ａに押されて、回転検出用スイッチ３Ａは端子１１、１２に接続され、回転検出用スイッチ３Ａの電圧はＶｃｃとなる。
【００３２】
本図（ｂ）に示すように、壁８Ｂの突起９Ｂに押されて、回転検出用スイッチ３Ａは端子１２、１３に接続され、回転検出用スイッチ３Ａの電圧は-Ｖｃｃとなる。
【００３３】
このように、回転検出用スイッチ３Ａの電圧の正負を検出することにより、表示ユニット部３が縦長位置又は横長位置方向に９０度回転したか否かを検出することが可能になる。
【００３４】
図５は本体１に表示ユニット部３の回転ロックを説明する図である。本図に示すように、回転ロック機構５には回転ロック部５Ａが設けられ、回転ロック部５Ａは、細棒であり、ロックしたり、ロック解除を行う取手部分が折り曲げ可能になっており、ロック中には折り曲げて表示ユニット部３の表面の凹部に埋め込まれる。
【００３５】
本体１には縦長用穴５Ｂと、横長用穴５Ｃが設けられ、それぞれの穴は、回転ロック部５Ａの棒が挿入されるような径に形成されている。縦長用穴５Ｂと、横長用穴５Ｃの位置は表示ユニット部３が縦長、横長に固定（ロック）されるのに適した位置に決定される。
【００３６】
図５（ａ）の上段では、表示ユニット部３が縦長位置に固定され、図５（ａ）の中断では、表示ユニット３の縦長位置の固定が解除されようとし、図５（ａ）の下段では、表示ユニット部３の縦長位置の固定が解除されいる場合が示されている。
【００３７】
図５（ｂ）の上段では、表示ユニット部３が横長位置に固定され、図５（ｂ）の中断では、表示ユニット３の横長位置の固定が解除されようとし、図５（ｂ）の下段では、表示ユニット部３の横長位置の固定が解除されている場合が示されている。
【００３８】
このようにして、表示ユニット部３を回転可能にしたので、回転ロック機構５により表示ユニット部３の自由な回転を禁止することが可能になる。
【００３９】
図６は図１及び図２の表示ユニット部３、液晶表示部２の接続関係を説明するブロック図である。
【００４０】
本図に示すように、表示ユニット部３には回転検出用スイッチ３Ａが設けられ、回転検出用スイッチ３Ａは表示ユニット部３の９０度回転、この逆回転を検出する。
【００４１】
液晶表示部２には表示切換部２Ａが設けられ、表示切換部２Ａは液晶表示部２の縦長表示を横長表示に切換える。
【００４２】
表示ユニット部３の回転検出用スイッチ３Ａには液晶表示部２の表示切換部２Ａが接続され、回転検出用スイッチ３Ａは、表示ユニット部３の９０度回転を検出すると、またはこの逆の９０度回転を検出すると、検出信号を表示切換部２Ａに出力する。
【００４３】
表示切換部２Ａは、上記検出信号を入力すると、液晶表示部２の表示を９０度回転し、縦長から横長に、又は、横長から縦長の表示に切換える。
【００４４】
なお、回転方向は時計方向、又は反時計方向であってもよい。
【００４５】
図７は図１における表示切換部２Ａの動作例を説明するフローチャートである。
【００４６】
本図に示すように、ステップＳ１において、表示切換部２Ａでは、液晶表示部２が縦長に表示されているか否かが判断される。
【００４７】
ステップＳ２において、縦長表示の判断の場合には、回転検出用スイッチ３Ａから９０度回転検出信号が入力するのを待つ。
【００４８】
ステップＳ３において、９０度回転検出信号が入力した場合には、表示切換部２Ａでは、縦長から横長に液晶表示部２の表示が切換えられる。
【００４９】
ステップＳ４において、ステップＳ１で横表示の判断の場合には、回転検出用スイッチ３Ａから９０度回転検出信号が入力するのを待つ。
ステップＳ５において、９０度回転検出信号が入力した場合には、表示切換部２Ａでは、横長から縦長に液晶表示部２の表示が切換えられる。
【００５０】
このようにして、縦方向に長い、液晶表示部３を回転すると共に、液晶表示部３の回転に合せて液晶表示方向を回転することが可能になる。
【００５１】
次に、図６に示すように、表示ユニット部３には駆動部３Ｂが設けられ、回転駆動部３Ｂは、電子メール、オンラインサービス等の選択要求、終了信号を入力すると、駆動部３Ｂの回転軸をモータ等で回転させる。
【００５２】
また、駆動部３Ｂは、ソレノイド等で回転ロック機構５のロック設定、解除を行う。
【００５３】
図８は液晶表示部２の別の動作例を説明するフローチャートである。本図に示すように、ステップＳ１１において、回転駆動３Ｂでは、電子メール、オンラインサービス等の選択要求信号が入力するのを待つ。
【００５４】
ステップＳ１２において、電子メール処理等の要求信号が入力した場合には、駆動部３Ｂにより、回転ロック機構５のロックを解除する。
【００５５】
ステップＳ１３において、駆動部３Ｂにより表示ユニット部３を回転させる。
【００５６】
ステップＳ１４において、回転検出用スイッチ３Ａから９０度回転検出信号が入力するのを待つ。
【００５７】
ステップＳ１５において、９０度回転検出信号が入力した場合には、駆動部３Ｂにより回転ロック機構５のロックを設定する。
【００５８】
ステップＳ１６において、表示切換部２Ａでは、横長から縦長に液晶表示部２の表示が切換えられる。
【００５９】
ステップＳ１７において、電子メール処理等の終了を待つ。
【００６０】
ステップＳ１８において、電子メール処理等が終了した場合には、駆動部３Ｂにより、回転ロック機構５のロックを解除する。
【００６１】
ステップＳ１９において、駆動部３Ｂにより表示ユニット３を回転させ元の位置に戻す。
【００６２】
ステップＳ２０において、回転検出用スイッチ３Ａから９０度回転検出信号が入力するのを待つ。
【００６３】
ステップＳ２１において、９０度回転検出信号が入力した場合には、駆動部３Ｂにより回転ロック機構５のロックを設定する。
【００６４】
ステップＳ２２において、表示切換部２Ａでは、横長から縦長に液晶表示部２の表示が切換えられる。
【００６５】
このようにして、電子メール等の選択要求により、表示ユニット部３の回転を自動的に行わせるので液晶表示部２の表示の切換え操作性の向上が可能になる。
【００６６】
図９は本発明に係る棒型携帯電話機に関する通信機器の表示システムの斜視図であり、図１０は図９の表示ユニット部３を回転させた状態を示す図である。
【００６７】
図９、図１０に示すように、棒型携帯電話機の表示ユニット３、液晶表示部２も、図１、図２に示す折り畳み型携帯電話機の表示ユニット３、液晶表示部２と同様の構成、作用、動作を有する。
【００６８】
図１１は図２の変形例の斜視図であり、図１２は図１０の変形例の斜視図である。
【００６９】
図１１、図１２の折り畳み型、棒型携帯電話機の表示ユニット３の回転状態では、その際に見える本体１の箇所に複数の操作ボタン４Ｂが設けられる。
【００７０】
追加された操作ボタン４Ｂに新たな機能を持たせることにより、操作性向上を図ることが可能になる。
【図面の簡単な説明】
【００７１】
【図１】本発明に係る折り畳み型携帯電話機に関する通信機器の表示システムの斜視図である。
【図２】図１の表示ユニット部３を回転させた状態を示す図である。
【図３】図３は表示ユニット部３の回転を説明する図である。
【図４】図３の回転検出用スイッチ３Ａを示す図である。
【図５】本体１に表示ユニット部３の回転ロックを説明する図である。
【図６】図１及び図２の表示ユニット部３、液晶表示部２の接続関係を説明するブロック図である。
【図７】液晶表示部２の動作例を説明するフローチャートである。
【図８】液晶表示部２の別の動作例を説明するフローチャートである。
【図９】本発明に係る棒型携帯電話機に関する通信機器の表示システムの斜視図である。
【図１０】図９の表示ユニット部３を回転させた状態を示す図である。
【図１１】図２の変形例の斜視図である。
【図１２】図１０の変形例の斜視図である。
【図１３】従来の折り畳み型携帯電話機の斜視図である。
【図１４】従来の棒型携帯電話機の斜視図である。
【符号の説明】
【００７２】
１…本体
２…液晶表示部
２Ａ…表示切換部
３…表示ユニット部
３Ａ…回転検出用スイッチ
３Ｂ…回転駆動部
４Ａ、４Ｂ…操作ボタン
５…回転ロック機構
５Ａ…回転ロック部
５Ｂ…縦長用穴
５Ｃ…横長用穴
６…回転軸
７…出張部
８…回転穴
８Ａ、８Ｂ…壁
９Ａ、９Ｂ…突起
１０…スペース
１１、１２、１３…端子
１４…抵抗
【図１】
2008199648.tif 000003
【図２】
2008199648.tif 000004
【図３】
2008199648.tif 000005
【図４】
2008199648.tif 000006
【図５】
2008199648.tif 000007
【図６】
2008199648.tif 000008
【図７】
2008199648.tif 000009
【図８】
2008199648.tif 000010
【図９】
2008199648.tif 000011
【図１０】
2008199648.tif 000012
【図１１】
2008199648.tif 000013
【図１２】
2008199648.tif 000014
【図１３】
2008199648.tif 000015
【図１４】
2008199648.tif 000016